(57)【要約】　　　（修正有）【課題】石釜が高温使用の為火傷を負うことがあり、それを防ぐ事ができる優れた安全容器を提供する。【解決手段】本考案は木製品、樹脂製品、耐熱プラスチック製品にて制作し火傷から保護することが出来る容器である。しかも、取っ手をつけることによりユーザが安全に利用でき、課題を解決するものである。【選択図】　　図１
0003097957.tif 000002
【実用新案登録請求の範囲】
【請求項１】
石釜の猛烈から火傷を防止するための設けたことを特徴とする安全容器
【請求項２】
【請求項１】
からつける取っ手を水平から１５度下向きししたことで運びやすさを設けたことを特徴とする安全容器。
【考案の詳細な説明】
【００１】
【考案の属する技術分野】
本考案は木製品、樹脂製品、耐熱プラスチック製品にて制作し火傷から保護することが出来る容器である。
【００２】
【従来の技術】
受板、皿、鍋敷きタイプ等は不安定な状態で安全かつ安定した物ではなかった。
【００３】
【考案が解決しようとする課題】
従来の石釜は高温のままユーザに利用されてきた。従って、ユーザが火傷の恐れを負いながら利用してきたのである。しかしながら、石釜を使い始めた時から（１９８３）未だに何の対処もなく利用して来た。本考案は高温の石釜を安全容器に取り入れることで、両手で掴んでも熱くないし、しかも、石釜が回りの空気と直接当たらなくなるので、従来の石釜より熱量の損失を抑えながら火傷の災害から守ることが出来る。また、取っ手を下から上につけることで持ち運びまたは、ユーザがしっかり握って安定に混ぜることができる。
さらに、保護容器の外側に韓国の伝統的な絵柄及び商店のオリジナルデザインらを入れて明るい雰囲気を設けた。
【０００４】
【課題を解決するための手段】
石釜は猛烈に熱いから手や顔などに火傷を負うことがあった。
しかも、受板、皿、鍋敷きを抑えなければならず、力が入りすぎて不安定に混ぜなければなかった。安全容器に石釜を入れることにより安全かつ安定することが出来る。
【０００５】
【考案の実施の形態】
図１〜図４に示すように木製品、樹脂製品、耐熱プラスチック製品で制作し石釜を入れて使用する。
【０００６】
【考案の効果】
本考案に係る安全容器は従来の使用に対して安全容器に石釜を入れることにより保温効果、及び安全に安定した状態で使用することが出来る。実用にすぐれた安全容器である。
【図面の簡単な説明】
【図１】本考案に係る安全容器と石釜の斜視図である。
【図２】本考案に係る安全容器と石釜の取り入れた状態の斜視図である。
【図３】本考案に係る安全容器と石釜の取り入れた状態の断面図である。
【図４】本考案に係る安全容器と石釜の取り入れた状態の平面図である。
【符号の説明】
１　安全容器
２　石釜
３　取っ手
４　掴み器具口
【図１】
0003097957.tif 000003
【図２】
0003097957.tif 000004
【図３】
0003097957.tif 000005
【図４】
0003097957.tif 000006
【手続補正書】
【提出日】平成15年3月24日(2003.3.24)
【手続補正１】
【補正対象書類名】明細書
【補正対象項目名】全文
【補正方法】変更
【補正の内容】
【考案の詳細な説明】
【実用新案登録請求の範囲】
【請求項１】石釜の高温（摂氏１５０度〜摂氏２５０度）から火傷を防止するための取っ手を設けたことを特徴とするビビンバ容器
【請求項２】請求項１記載の取っ手を（０度〜３０度）下向きししたことで運びやすさを設けたことを特徴とするビビンバ容器。
【考案の詳細な説明】
【０００１】
【考案の属する技術分野】
本考案は木製品、樹脂製品、耐熱プラスチック製品にて製作し火傷から防止することが出来る容器に関する。
【０００２】
【従来の技術】
高温（摂氏１５０度〜摂氏２５０度）の石釜を受板、皿、鍋敷きタイプ等で使用し火傷を防止する物はなかった。
【０００３】
【考案が解決しようとする課題】
従来の石釜は高温（摂氏１５０度〜摂氏２５０度）のままユーザに利用されてきた。従って、ユーザが火傷の恐れを負いながら利用してきたのである。しかしながら、石釜を使い始めた時から（１９８３）未だに何の対処もなく利用して来た。本考案は高温（摂氏１５０度〜摂氏２５０度）の石釜をビビンバ容器に取り入れることで、両手で掴んでも熱くないし、しかも、石釜が回りの空気と直接当たらなくなるので、従来の石釜より熱量の損失を抑えながら、身体の火傷の災害から守ることが出来る。
また、取っ手を下から上につけることで持ち運びまたは、ユーザがしっかり握って安定に混ぜることができる
さらに、ビビンバ容器の外側に韓国の伝統的な絵柄及び商店のオリジナルデザインらを入れて明るい雰囲気を設けた。
【０００４】
【課題を解決するための手段】
石釜は高温（摂氏１５０度〜摂氏２５０度）にて手や顔などに火傷を負うことがあった。
しかも、受板、皿、鍋敷きを抑えなければならず、力が入りすぎて不安定に混ぜなければなかった。ビビンバ容器に石釜を入れることにより取っ手があるため安全かつ安定することが出来る。
【０００５】
【考案の実施の形態】
石釜２をビビンバ容器１に掴み器具を使用して、掴み器具口４を使い石釜２入れる。取っ手３を使用することで安全に安定した状態で使用することが出来る。図１〜図４に示すように木製品、樹脂製品、耐熱プラスチック製品で製作し石釜を入れて使用する。
【０００６】
【考案の効果】
本考案に係るビビンバ容器は従来の使用に対してビビンバ容器に石釜を入れることにより身体の火傷の災害から守ることが出来る、又保温効果及び取っ手がある為安全に安定した状態で使用することが出来る。実用にすぐれたビビンバ容器である。
【図面の簡単な説明】
【図１】本考案に係るビビンバ容器と石釜の斜視図である。
【図２】本考案に係るビビンバ容器と石釜の取り入れた状態の斜視図である。
【図３】本考案に係るビビンバ容器と石釜の取り入れた状態の断面図である。
【図４】本考案に係るビビンバ容器と石釜の取り入れた状態の平面図である
【符号の説明】
１　ビビンバ容器
２　石釜
３　取っ手
４　掴み器具口
【手続補正２】
【補正対象書類名】図面
【補正対象項目名】全図
【補正方法】変更
【補正の内容】
【図１】
0003097957.tif 000007
【図２】
0003097957.tif 000008
【図３】
0003097957.tif 000009
【図４】
0003097957.tif 000010
【手続補正書】
【提出日】平成15年6月10日(2003.6.10)
【手続補正１】
【補正対象書類名】明細書
【補正対象項目名】実用新案登録請求の範囲
【補正方法】変更
【補正の内容】
【実用新案登録請求の範囲】
【請求項１】
石釜の高温、摂氏１５０度〜摂氏２５０度から火傷を防止するための取っ手を設けたことを特徴とするビビンバ容器
【請求項２】
請求項１記載の取っ手を０度〜３０度に下向きししたことで運びやすさを設けたことを特徴とするビビンバ容器。
【手続補正２】
【補正対象書類名】明細書
【補正対象項目名】考案の詳細な説明
【補正方法】変更
【補正の内容】
【考案の詳細な説明】
【０００１】
【考案の属する技術分野】
本考案は木製品、樹脂製品、耐熱プラスチック製品にて製作し火傷から防止することが出来る容器に関する。
【０００２】
【従来の技術】
高温、摂氏１５０度〜摂氏２５０度の石釜を受板、皿、鍋敷きタイプ等で使用し火傷を防止する物はなかった。
【０００３】
【考案が解決しょうとする課題】
従来の石釜は高温、摂氏１５０度〜摂氏２５０度のままユーザに利用されてきた。従って、ユーザが火傷の恐れを負いながら利用してきたのである。しかしながら、石釜を使い始めた時から（１９８３）未だに何の対処もなく利用して来た。本考案は高温、摂氏１５０度〜摂氏２５０度の石釜をビビンバ容器に取り入れることで、両手で掴んでも熱くないし、しかも、石釜が回りの空気と直接当たらなくなるので、従来の石釜より熱量の損失を抑えながら、身体の火傷の災害から守ることが出来る。
また、取っ手を下から上につけることで持ち運びまたは、ユーザがしっかり握って安定に混ぜることができる
さらに、ビビンバ容器の外側に韓国の伝統的な絵柄及び商店のオリジナルデザインらを入れて明るい雰囲気を設けた。
【０００４】
【課題を解決するための手段】
石釜は高温、摂氏１５０度〜摂氏２５０度にて手や顔などに火傷を負うことがあった。
しかも、受板、皿、鍋敷きを抑えなければならず、力が入りすぎて不安定に混ぜなければなかった。ビビンバ容器に石釜を入れることにより取っ手があるため安全かつ安定することが出来る。
【０００５】
【考案の実施の形態】
石釜２をビビンバ容器１に掴み器具を使用して、掴み器具口４を使い石釜２入れる。取っ手３を使用することで安全に安定した状態で使用することが出来る。図１〜図４に示すように木製品、樹脂製品、耐熱プラスチック製品で製作し石釜を入れて使用する。
【０００６】
【考案の効果】
本考案に係るビビンバ容器は従来の使用に対してビビンバ容器に石釜を入れることにより身体の火傷の災害から守ることが出来る、又保温効果及び取っ手がある為安全に安定した状態で使用することが出来る。実用にすぐれたビビンバ容器である。


【手続補正３】
【補正対象書類名】明細書
【補正対象項目名】図面の簡単な説明
【補正方法】変更
【補正の内容】
【図面の簡単な説明】
【図１】本考案に係るビビンバ容器と石釜の斜視図である。
【図２】本考案に係るビビンバ容器と石釜の取り入れた状態の斜視図である。
【図３】本考案に係るビビンバ容器と石釜の取り入れた状態の断面図である。
【図４】本考案に係るビビンバ容器と石釜の取り入れた状態の平面図である
【符号の説明】
１　ビビンバ容器
２　石釜
３　取っ手
４　掴み器具口


【手続補正４】
【補正対象書類名】図面
【補正対象項目名】全図
【補正方法】変更
【補正の内容】
【図１】
0003097957.tif 000011
【図２】
0003097957.tif 000012
【図３】
0003097957.tif 000013
【図４】
0003097957.tif 000014